(57)【要約】      （修正有）【課題】掛けるのに便利で、掛けた後の安定性を確実にすることができる除塵ブラシを提供する。【解決手段】持ち手１０を有し、持ち手１０の底部には複数の毛１１が固設される。持ち手１０の頂端には鉤状体２０及び弾片体３０が一体化して延設される。弾片体３０も持ち手１０の頂端から一体化して延伸される。弾片体３０の自由端３１は鉤状体２０の鉤末端２１の内面にちょうどはまるようになっており、鉤状体２０と弾片体３０とで完全な環状体４０が形成され、環状体内は環状の内部空間になる。【選択図】図１
0003133017.tif 000002
【実用新案登録請求の範囲】
【請求項１】
持ち手を有し、該持ち手の底部に複数の毛が固設された除塵ブラシにおいて、
該持ち手の頂端には鉤状体及び弾片体が、一体化して延設され、
該弾片体も、持ち手の頂端から一体化して延伸され、
弾片体の自由端は、鉤状体の鉤末端の内面にちょうどはまるようになっており、鉤状体と弾片体とで完全な環状体が形成され、環状体内は環状の内部空間になることを特徴とする除塵ブラシ。
【請求項２】
該鉤末端の内面には円凹弧が設置可能であり、
弾片体には円凹弧に対応して円凸球が設けられることを特徴とする請求項１に記載の除塵ブラシ。
【考案の詳細な説明】
【技術分野】
【０００１】
本考案は、除塵ブラシを提供し、特に技術的に持ち手及び毛を有し、持ち手の頂面には鉤状体及び弾片体が一体化して延伸して設けられ、両者の間に完全な環状空間を形成し、鉤状体と弾片体との接触点には円凸球と円凹弧とを有し、相互に固定される除塵ブラシを提供する。
【背景技術】
【０００２】
埃が存在しない場所はほとんどなく、自動車の内部、各種事務機器、電話機、コンピュータなどの設備などには、細かい隙間が多く掃除は容易でないが、常に埃の除去をせず、埃が多くなると、自動車の電子設備の正常な動作に影響を及ぼしたり、事務機器、電話機またはコンピュータなどの電子製品の使用寿命に影響を及ぼしたり、その動作の異常により仕事の効率に影響を及ぼしたりすることがある。現在、小型の除塵ブラシが普遍的に開発され、電子製品の表面または細かい隙間内の埃などを除去するのに便利であり、除塵ブラシは、静電除塵ブラシによって埃を除去する効果が比較的優れている。
【考案の開示】
【考案が解決しようとする課題】
【０００３】
ただし、公知の除塵ブラシには、次の欠点が存在している。
（１）公知の除塵ブラシは、柄部の位置に円状の掛け穴が設置されており、使用しない時、掛け穴をフックのある場所に掛けるのに便利である。これによって、除塵ブラシを収納する目的は達成されるが、フックが設置された箇所は多くなく、かつフックを設置する際、多くは壁面を破壊する必要があるため、フックが見つからない場合、除塵ブラシを順調に掛けることができず、かつ除塵ブラシにぶつかった際には、フックから外れて落ちやすく、かつ掛け穴は開放式のフックでなければ使用することができず、使用上不便である。
（２）公知のもう１種の除塵ブラシは、主に柄部の位置にフックが設置され、フックをかけることが可能ないかなる物体にも掛けることができるが、フックの安定性不足のため、微かに揺れたり衝撃を受けたりすると、除塵ブラシが落ちる問題があるため、フックを使用する方式は、掛けるのには便利であるが、その不安定性の問題を改善することができない。
これに鑑み、考案者は関連製品の製造開発と設計に長年従事した経験に基づき、上記の目標について、詳細に設計し慎重に評価した後、実用性を確実に有する本考案を終に得た。
【課題を解決するための手段】
【０００４】
持ち手を有し、持ち手の底部には複数の毛が固設され、持ち手の頂端には鉤状体が一体化して延設され、弾片体も持ち手の頂端から一体化して延伸され、弾片体の自由端は鉤状体の鉤末端の内面にちょうどはまるようになっており、鉤末端の内面には円凹弧を設けることができ、弾片体には円凹弧に対応して円凸球が設けられ、除塵ブラシを使用しない時には、弾片体を指で押して鉤状体を露出させ、いかなる棒状または穴のある固定物にも掛けることができ、弾片体から指を離すと、弾片体は自動的に元の位置に戻り、円凸球は円凹弧にひっかかって固定され、これによって、完全な環状体を形成し、いかなる衝突または揺れがあったとしても、除塵ブラシが落ちることがなく、固定物を非常に簡単に見つけられ、固定後は非常に安定した効果を達成することができる除塵ブラシを主に提供する。
背景技術との効果の比較は次の通りである。
（１）背景技術の除塵ブラシは、掛け穴によりフックを有する箇所に掛けるため、その使用範囲は比較的狭く、かつ除塵ブラシは掛け穴によりフックに掛けるため、この方式では揺れまたは衝突のために落ちる可能性がある。本考案では、掛ける範囲に制限を受ける問題はなく、安定度がよくないという問題もない。本考案の弾片体を指で押す際に、鉤状体のフック部が露出され、この時、棒状の物または穴がある状態の物さえあれば、掛ける対象とすることができ、掛けることを完了した際には、弾片体の弾性により元の位置に戻り、完全な環状体として固定され、固定された物は完全な環状体内に完全に封鎖され、どのような衝突または揺れがあっても、脱落することがない。
（２）背景技術のフックが設けられた除塵ブラシは、各種の物に掛けることは非常に容易であるが、揺れた時または衝突の時には簡単に落ちてしまう。本考案は鉤状体であるため非常に容易に掛けることができると同時に、弾片体を有し、掛けた後には元の位置に戻り完全な環状体を形成するため、いかなる状態の下でも落ちないことを確実にする。
【考案を実施するための最良の形態】
【０００５】
本考案では、掛けるのが便利で、掛けた後の安定性を確実にすることができる除塵ブラシ設計を提供する。
本考案の目的、特徴及び効果を更に理解し、認識することができるようにするため、図の簡単な説明と合わせて、次に詳しく述べる。
【０００６】
図１は、本考案の実施例における斜視図である。除塵ブラシは持ち手１０を有し、持ち手１０の底部には複数の毛１１が固設され、持ち手１０の頂端には鉤状体２０が一体化して延設され、弾片体３０も持ち手１０の頂端から一体化して延伸され、弾片体３０の自由端３１は鉤状体２０の鉤末端２１の内面２１１にちょうどはまるようになっており（図２、図３参照）、鉤末端２１の内面２１１には円凹弧２１２（図２、図３参照）を設けることができ、弾片体３０には円凹弧２１２に対応して円凸球３２（図２、図３参照）が設けられ、除塵ブラシを使用しない時には、弾片体３０を指で押して鉤状体２０を露出させ、いかなる棒状または穴のある固定物に掛けることができ、弾片体３０から指を離すと、弾片体３０は自動的に元の位置に戻り、円凸球３２は円凹弧２１２にひっかかって固定され、これによって完全な環状体４０を形成し、いかなる衝突または揺れがあったとしても、除塵ブラシは落ちることがなく、固定物を非常に簡単に見つけられ、固定後は非常に安定した効果を達成することができることを特徴とする。
【０００７】
図２、図３は、本実施例の１つの押した状態と別の実施例の押した状態の説明図である。除塵ブラシを電子製品などの細かい隙間の埃の除去に使用する場合、通常、電子製品付近の手が届きやすい場所に置くが、任意に置くと、除塵ブラシを押して破壊しやすく、毛１１を正常な形状に保つことができないため、除塵ブラシを収納する際に最もよくある形態は掛けることである。本実施例の除塵ブラシを掛ける際には、フックがある場所を必要としない。フックは基本的に壁面に釘を打って壁を破壊して設置されるため、フックは電子製品の付近ではあまり見られず、車内の空間ではほとんど見られることがない。本実施例では、穴洞または棒状物があれば掛けることができ、使用上は、除塵ブラシの持ち手１０を持ち、指１本で弾片体３０を圧迫して内縮させる（図２参照）と、鉤状体２０及び鉤末端２１が露出され、鉤末端２１を穴または棒状物に簡単に通すことができる。別の実施例では、弾片体３０と鉤状体２０とがいずれも弾性を有する軟質体であるため、除塵ブラシの持ち手１０を持ち、指１本で鉤状体２０の鉤末端２１にある鉤背面２２を圧迫すると、鉤状体２０が前に押され、鉤末端２１が弾片体３０の自由端を離れ（図３参照）、鉤状体２０及び鉤末端２１を露出することができ、このようにして鉤状体２０を用いて穴または棒状物に掛け、フックを非常に容易に使用する目的を達成することができる。
【０００８】
図４、図５は、本実施例の箪笥またはデスクにおける実施の略図である。通常、事務においてコンピュータを使用する場合、１日はコンピュータに１晩蓄積した埃を除去することで始まるため、除塵ブラシは手が届く場所に置かれなければ使用に便利ではなく、最適な場所は事務机である。事務机の引き出しの取っ手に直接掛けることができれば、見やすく取りやすいため、あちこち探す必要もなく、引き出し内部の空間を占有する問題もないが、取っ手のコの字形の棒状にいかにして固定するかが問題である。公知の円状の掛け穴の除塵ブラシでは固定することは無理であり、フック式の除塵ブラシでは、取っ手のコの字形の棒に掛けることはできるが、事務机の人が出入りするたびにぶつかりやすく、引き出しを開閉する際には除塵ブラシが揺れ、フック式除塵ブラシは非常に落ちやすい。そのため、本実施例では、事務所または家の埃の掃除が終わった後、除塵ブラシで、鉤状体２０または弾片体３０を圧迫する方式を利用して、鉤状体２０の鉤の形態を露出させ、取っ手の棒体に簡単に掛けることができ、手を離すと、弾片体３０は元の位置に戻り、鉤状体２０と完全な環状体４０を構成し、除塵ブラシが落ちないことを確実にすることができる。図４の箪笥６０には、通常、取っ手６１が設けられており、図上の取っ手６１は完全な円状の取っ手６１である。本実施例の除塵ブラシを使用すれば、鉤状体２０または弾片体３０を圧迫するだけで、鉤末端２１（図２、図３参照）を露出させることができ、取っ手６１に簡単に掛けることができ、圧迫した指を離すと、弾片体３０は元の位置に戻り、鉤状体２０と完全な環状体４０を構成（図４参照）した際に、取っ手６１は環状の内部空間４１でしか動くことができず、この時、除塵ブラシは衝突されても、引き出しが開閉されても、除塵ブラシは落ちることがなく、安定して掛ける目的を達成する。別の場合では、事務机７０の引き出しにも取っ手７１が設けられており、取っ手７１は棒状体である（図５参照）。本実施例の除塵ブラシを使用すれば、鉤状体２０または弾片体３０を圧迫するだけで、鉤末端２１（図２、図３参照）を露出させることができ、取っ手７１の棒状体に掛けることができ、圧迫した指を離すと、弾片体３０は元の位置に戻り、鉤状体２０と完全な環状体４０を構成（図５参照）した際に、除塵ブラシは衝突されても、引き出しが開閉されても、除塵ブラシは落ちることがなく、安定して掛ける目的を達成する。
【０００９】
図６は、本実施例の自動車内部における実施の説明図である。自動車内部には通常、フックがあまりなく、フックがあったとしても、自動車の走行による揺れのため、除塵ブラシをしっかりと掛けることは容易でない。自動車内部の電子機器には細かい隙間が非常に多く、一般の清掃用クロスでは細かい隙間の埃をきれいに拭き取ることは難しく、埃が細かい隙間に押されて入り堆積して除去が更に難しくなったり、電子機器を破損させたりする可能性があるため、静電除塵ブラシで埃を随時除去できるようにする必要があるが、埃の処理の完了後に、除塵ブラシを固定する必要がある。先ず直面する問題は車内にフックがないことであるが、本実施例ではフックを必要とせず、穴または棒状物のある場所さえあれば、簡単に掛けることができ、自動車５０の日よけ５１の位置などには、円棒５２がある。この場合、図２、図３のいずれかの動作によって、除塵ブラシの鉤状体２０を露出させ、フックを円棒５２に通した後、弾片体３０から手を離すと、弾片体３０は元の位置に戻り、鉤状体２０と完全な環状体４０を構成し、環状の内部空間４１が円棒５２に取り付けられる。この時、自動車５０がいかに揺れても、環状体４０の完全性に影響を与えることも、変化させることもないため、除塵ブラシの安定状態を確実にし、脱落させないようにすることができる。
【図面の簡単な説明】
【００１０】
【図１】本考案の一実施例における除塵ブラシを示す斜視図である。
【図２】本考案の一実施例における除塵ブラシの圧迫状態を示す説明図である。
【図３】本考案の別の実施例における除塵ブラシの別の圧迫状態を示す説明図である。
【図４】本考案の一実施例における除塵ブラシを箪笥に使用している状態を示す説明図である。
【図５】本考案の一実施例における除塵ブラシを机に使用している状態を示す説明図である。
【図６】本考案の一実施例における除塵ブラシを自動車内で使用している状態を示す説明図である。
【符号の説明】
【００１１】
１０：持ち手、１１：毛、２０：鉤状体、２１：鉤末端、２１１：内面、２１２：円凹弧、３０：弾片体、３１：自由端、３２：円凸球、４０：環状体、４１：環状の内部空間、５０：自動車、５１：日よけ、５２：円棒、６０：箪笥、６１：取っ手、７０：事務机、７１：取っ手
【図１】
0003133017.tif 000003
【図２】
0003133017.tif 000004
【図３】
0003133017.tif 000005
【図４】
0003133017.tif 000006
【図５】
0003133017.tif 000007
【図６】
0003133017.tif 000008